(57)【要約】【課題】装置の小型化およびコストの低減を図ることを主たる目的とする。【解決手段】減圧状態の蒸発容器３内の水が沸騰蒸発することによって冷却された水が、循環管路７ａを介して冷房負荷である放射パネル２に供給される一方、沸騰蒸発した水蒸気は、蒸発容器３内に配置された凝縮器４によって凝縮されて蒸発容器３内に貯留され、また、放射パネル２からの昇温した水は、循環管路７ｂを介して蒸発容器３に還流されて再び沸騰蒸発するというサイクルを繰り返して、放射パネル２に冷水を供給するようにし、単一の容器である蒸発容器３内に凝縮器４を配置すると共に、圧縮機を不要としている。【選択図】図１
2011112249.tif 000002
【特許請求の範囲】
【請求項１】
蒸発性の液体を貯留すると共に、大気圧よりも低い減圧で前記液体を沸騰蒸発させる密閉型の蒸発容器と、
該蒸発容器内に配置されて、前記液体の蒸気を冷却媒体で冷却する凝縮器と、
を備え、
前記蒸発容器には、該蒸発容器に貯留される前記液体を負荷に供給すると共に、該負荷からの前記液体を前記蒸発容器に還流させる循環流路が接続され、前記蒸発容器および前記循環流路が減圧状態に維持されることを特徴とする冷却装置。
【請求項２】
蒸発性の液体を貯留すると共に、大気圧よりも低い減圧で前記液体を沸騰蒸発させる密閉型の蒸発容器と、
該蒸発容器内に配置されて、前記液体の蒸気を冷却媒体で冷却する凝縮器と、
前記蒸発容器に貯留される前記液体を冷房負荷に供給すると共に、前記冷房負荷からの前記液体を、前記蒸発容器に還流させる循環流路と、
前記蒸発容器および前記循環流路を、減圧状態に維持する真空発生装置と、
を備えることを特徴とする空調システム。
【請求項３】
前記循環流路に配置されて、暖房時に、暖房負荷から還流される液体を加熱する熱交換器を備え、
前記凝縮器は、冷房時に、前記液体の蒸気を冷却するものであり、
前記循環流路は、前記蒸発容器に貯留される前記液体を、冷房負荷または暖房負荷に供給すると共に、前記冷房負荷または暖房負荷からの前記液体を、前記蒸発容器に還流させるものである、
請求項２に記載の空調システム。
【請求項４】
前記蒸発容器には、前記循環流路から還流される前記液体を前記蒸発容器内に散布する散布手段が設けられ、前記凝縮器が、前記散布手段の上方に配置される請求項２または３に記載の空調システム。
【請求項５】
前記冷房負荷または前記暖房負荷が放射パネルである請求項２ないし４のいずれかに記載の空調システム。
【発明の詳細な説明】
【技術分野】
【０００１】
本発明は、水等のように蒸発性を有する液体の蒸発、凝縮を利用して前記液体を冷却する冷却装置およびそれを用いた空調システムに関し、更に詳しくは、地域熱供給システムの熱供給設備から供給される冷水や温水等の熱媒体を利用して液体を冷却するのに好適な冷却装置およびそれを用いた空調システムに関する。
【背景技術】
【０００２】
近年、大都市のオフィス街や商業地域のビル群が設置される地域において、ビル毎にそれぞれ個別にボイラや冷凍機等の冷暖房や給湯用の熱源設備を設置する代わりに、これらのビル群を含む地域全体に対する大規模な熱供給設備(熱源プラント)を設置し、この熱供給設備から各ビルの需要家に対して冷水や温水等の熱媒体を集中的に供給する地域熱供給システムが実用化されている。
【０００３】
地域熱供給システムによって冷水や温水等の熱媒体が供給される需要者側の空調方式として、例えば、図３に示すように、熱媒体が流れる熱媒体管路２０とこの熱媒体管路２０を流れる熱媒体から受熱してその熱を放射する放射板２１とからなる放射パネル２２を、被空調室の天井などに配設し、放射パネル２２と人体との間で直接的に放射熱交換を行って冷暖房を行う放射空調が採用されるようになってきている。
【０００４】
かかる放射空調の放射パネル２２に供給される地域熱供給システムからの冷水や温水等の熱媒体は、ポンプによって熱媒体管路２０内で大気圧以上に加圧された流体となっている。
【０００５】
したがって、放射パネル２２の熱媒体管路２０および該熱媒体管路２０に接続される管路のうち天井面に存在する配管部分で継手の緩みや腐食によって貫通部が発生したりすると、配管部内圧が大気圧以上となっていることから、当該貫通部等から冷水あるいは温水が漏洩し、室内がその漏洩した冷水あるいは温水により水浸し状態になるという問題がある。そして、近年での被空調室内ではパソコン等の電子機器が、多数、配設されているようになっており、電子機器がそれら漏洩した冷水あるいは温水により故障してしまうことを防止する観点からも、冷水や温水の前述した漏洩を効果的に防止する要請が特に高まってきている。
【０００６】
このような要請に鑑みて、本件出願人は、かかる放射パネルからの冷水等の漏洩を防止するための空調システムを既に提案している（特許文献１参照）。
【０００７】
図４に、その提案にかかる空調システムの構成を示す。この図例は、冷房時に使用する例を示している。
【０００８】
この放射空調システムは、被空調室の天井面に配設される冷房負荷としての放射パネル２２と、放射パネル２２に熱媒体である冷水を供給する水冷媒冷凍機２３とを備えており、この水冷媒冷凍機２３は、蒸発器２４、凝縮器２５およびルーツ式圧縮機２６などを備えている。
【０００９】
この水冷媒冷凍機２３では、真空ポンプ２７によって、放射空調システムの系全体を真空状態にし、圧縮機２６を運転することで蒸発器２４内の水が蒸発し、蒸発器２４内の温度を低下させて冷水を製造し、製造した冷水を冷水ポンプ２８によって放射パネル２２へ供給し、放射パネル２２が設置された室内空間を冷房する。
【００１０】
蒸発器２４で蒸発した水蒸気は、圧縮機２６によって圧縮された後、凝縮器２５に導かれる。圧縮された水蒸気は、凝縮器２５で、熱交換器３０からの冷却水によって冷却されて凝縮され、再び、水に戻る。熱交換器３０からの冷却水は、水蒸気との熱交換で昇温された状態で、冷却水ポンプ３１によって熱交換器３０に送られ、冷却塔２９からポンプ３２によって送られる冷却水と熱交換して凝縮器２５に戻る。
【先行技術文献】
【特許文献】
【００１１】
【特許文献１】特開２００８−２１５６５３号公報
【発明の概要】
【発明が解決しようとする課題】
【００１２】
上記図４に示す空調システムは、真空ポンプ２７によって、放射空調システムの系全体を真空状態にするので、放射パネル２２の配管部分での継手の緩みや腐食によって貫通部が生じても、配管内が負圧になっていることから、貫通部から冷水が漏洩することを防止することができる。
【００１３】
しかしながら、上記空調システムは、地域熱供給システムの熱供給設備から供給される冷水や温水等の熱媒体を利用するものではなく、また、冷水を製造するために、個別の容器でそれぞれ構成される蒸発器２４、凝縮器２５およびそれら容器２４，２５を接続する配管を必要とすると共に、ルーツ式圧縮機２６を必要とするために、装置自体が大型化し、設置スペースが大きくなると共に、材料面や製造面でコスト高になるという課題がある。
【００１４】
本発明は、上述のような点に鑑みてなされたものであって、冷水等の熱媒体の漏洩を防止できると共に、地域熱供給システムの熱供給設備などから供給される熱媒体を利用することができ、しかも、設置スペースが小さくて済むと共に、装置全体の小型化、ひいては材料面や製造面でのコスト低減を図ることを目的とする。
【課題を解決するための手段】
【００１５】
本発明では、上記目的を達成するために、次のように構成している。
【００１６】
（１）本発明の冷却装置は、蒸発性の液体を貯留すると共に、大気圧よりも低い減圧で前記液体を沸騰蒸発させる密閉型の蒸発容器と、該蒸発容器内に配置されて、前記液体の蒸気を冷却媒体で冷却する凝縮器とを備え、前記蒸発容器には、該蒸発容器に貯留される前記液体を負荷に供給すると共に、該負荷からの前記液体を前記蒸発容器に還流させる循環流路が接続され、前記蒸発容器および前記循環流路が減圧状態に維持されるものである。
【００１７】
前記蒸発容器の形状は、密閉可能であれば特に限定されるものではなく、例えば、密閉可能な円筒状や角筒状やその他であってもよい。
【００１８】
凝縮器は、蒸発容器内で騰蒸発した液体の蒸気を冷却水等の冷却媒体で冷却できればよく、蒸発容器内に完全に収納されるように配置されてもよいし、あるいは、その一部が蒸発容器外にあってもよい。
【００１９】
前記蒸発容器および前記循環流路は、少なくとも蒸発容器と負荷との間で、液体を循環させているときに、減圧状態を維持できればよい。
【００２０】
本発明の冷却装置によると、減圧状態の蒸発容器内の液体が沸騰蒸発することによって冷却された液体が、循環流路を介して負荷に供給される一方、沸騰蒸発した液体の蒸気は、蒸発容器内に配置された凝縮器によって凝縮されて蒸発容器内に貯留され、また、負荷からの昇温した液体は、循環流路を介して蒸発容器に還流されて再び沸騰蒸発するというサイクルを繰り返して、負荷に冷却した液体を供給することができる。
【００２１】
しかも、単一の蒸発容器内に、凝縮器を配置すると共に、ルーツ式圧縮機が不要となるので、上述の従来例の水冷媒冷凍機に比べて、装置全体を小型化して設置スペースおよびコストを削減することができる。
【００２２】
更に、蒸発容器および負荷を含む循環流路は、減圧されているので、負荷を、例えば、天井面などに配設される放射パネルとした場合には、放射パネルの接続配管部での継手の緩み若しくは腐食により貫通部が生じても、その継手の緩み若しくは貫通部を介して天井面などから冷水等が漏洩するのを防止することができる。
【００２３】
また、液体の蒸気を冷却する凝縮器には、地域熱供給システムからの冷水、あるいは、地下水などを冷却水として導入して液体の蒸気を冷却することができる。
【００２４】
（２）本発明の空調システムは、蒸発性の液体を貯留すると共に、大気圧よりも低い減圧で前記液体を沸騰蒸発させる密閉型の蒸発容器と、該蒸発容器内に配置されて、前記液体の蒸気を冷却媒体で冷却する凝縮器と、前記蒸発容器に貯留される前記液体を冷房負荷に供給すると共に、前記冷房負荷からの前記液体を、前記蒸発容器に還流させる循環流路と、前記蒸発容器および前記循環流路を、減圧状態に維持する真空発生装置とを備えている。
【００２５】
本発明の空調システムによると、減圧状態の蒸発容器内の液体が沸騰蒸発することによって冷却された液体が、循環流路を介して冷房負荷に供給される一方、沸騰蒸発した液体の蒸気は、蒸発容器内に配置された凝縮器によって凝縮されて蒸発容器内に貯留され、また、冷房負荷からの昇温した液体は、循環流路を介して蒸発容器に還流されて再び沸騰蒸発するというサイクルを繰り返して、冷房負荷へ冷却した液体を供給することができる。
【００２６】
しかも、単一の蒸発容器内に、凝縮器を配置すると共に、ルーツ式圧縮機が不要となるので、上述の従来例の水冷媒冷凍機に比べて、装置全体を小型化して設置スペースおよびコストを削減することができる。
【００２７】
更に、蒸発容器および冷房負荷を含む循環流路は、減圧されているので、冷房負荷を、例えば、天井面などに配設される放射パネルとした場合には、放射パネルの接続配管部での継手の緩み若しくは腐食により貫通部が生じても、その継手の緩み若しくは貫通部を介して天井面などから冷水等が漏洩するのを防止することができる。
【００２８】
（３）本発明の空調システムの別の好ましい実施態様では、前記循環流路に配置されて、暖房時に、暖房負荷から還流される液体を加熱する熱交換器を備え、前記凝縮器は、冷房時に、前記液体の蒸気を冷却するものであり、前記循環流路は、前記蒸発容器に貯留される前記液体を、冷房負荷または暖房負荷に供給すると共に、前記冷房負荷または暖房負荷からの前記液体を、前記蒸発容器に還流させるものである。
【００２９】
この実施態様によると、冷房に加えて、暖房時には、熱交換器によって加熱された液体を、減圧状態の蒸発容器内に還流し、この加熱された液体を、循環流路を介して暖房負荷に供給し、暖房負荷からの降温した液体は、循環流路に設置された熱交換器によって再び加熱されて蒸発容器に還流されるというサイクルを繰り返して、暖房負荷へ加熱した液体を供給することができる。
【００３０】
しかも、この暖房時においても、蒸発容器および暖房負荷を含む循環流路は、減圧されているので、暖房負荷を、例えば、天井面などに配設される放射パネルとした場合には、放射パネルの接続配管部での継手の緩み若しくは腐食により貫通部が生じても、その継手の緩み若しくは貫通部を介して天井面などから温水等が漏洩するのを防止することができる。
【００３１】
（４）本発明の空調システムの好ましい実施態様では、前記蒸発容器には、前記循環流路から還流される前記液体を前記蒸発容器内に散布する散布手段が設けられ、前記凝縮器が、前記散布手段の上方に配置されている。
【００３２】
この実施態様によると、冷房時には、循環流路から還流された液体を、散布手段によって蒸発容器内に散布すると、液体がフラッシュ蒸発して冷却する一方、蒸発した液体の蒸気は、その上方の凝縮器によって冷却凝縮されて蒸発容器内に落下して貯留されることになる。
【００３３】
（５）本発明の空調システムの別の好ましい実施態様では、前記冷房負荷または前記暖房負荷が放射パネルである。
【００３４】
この実施態様によると、放射パネルと人体との間で直接的に放射熱交換を行って冷暖房を行う放射空調が行われることになる。また、蒸発容器および暖房負荷を含む循環流路は、減圧されているので、天井、壁あるいは床に配設される放射パネルの接続配管部での継手の緩み若しくは腐食により貫通部が生じても、その継手の緩み若しくは貫通部を介して冷水や温水等が漏洩するのを防止することができる。
【発明の効果】
【００３５】
本発明によれば、減圧状態の蒸発容器内の液体が沸騰蒸発することによって冷却された液体が、循環流路を介して負荷に供給される一方、沸騰蒸発した液体の蒸気は、蒸発容器内に配置された凝縮器によって凝縮されて蒸発容器内に貯留され、また、負荷からの昇温した液体は、循環流路を介して蒸発容器に還流されて再び沸騰蒸発するというサイクルを繰り返して、負荷に冷却した液体を供給することができるので、個別の容器でそれぞれ構成される蒸発器、凝縮器、それらを接続する配管およびルーツ式圧縮機を必要とする従来例の冷凍機に比べて、装置全体を小型化して設置スペースおよびコストを削減することができる。
【００３６】
更に、蒸発容器および負荷を含む循環流路は、減圧されているので、負荷を、例えば、天井面などに配設される放射パネルとした場合には、放射パネルの接続配管部での継手の緩み若しくは腐食により貫通部が生じても、その継手の緩み若しくは貫通部を介して天井面などから冷水等が漏洩するのを防止することができる。
【００３７】
また、液体の蒸気を冷却する凝縮器には、地域熱供給システムの熱供給設備からの冷水、あるいは、地下水などを冷却水として導入して液体の蒸気を冷却することができる。
【図面の簡単な説明】
【００３８】
【図１】図１は本発明の実施形態１に係る空調システムの構成例を示す図である。
【図２】図２は本発明の他の実施形態２に係る空調システムの構成例を示す図である。
【図３】図３は放射パネルを示す図である。
【図４】図４は従来例の構成図である。
【発明を実施するための形態】
【００３９】
以下、図面によって本発明の実施形態について詳細に説明する。
【００４０】
（実施形態１）
図１は、本発明の実施形態に係る冷却装置を用いた空調システムの構成図である。
【００４１】
この実施形態の空調システムは、地域熱供給システムの熱供給設備からの冷水を利用して冷房負荷へ所定温度の冷水を供給して冷房を行う冷却装置１を備えている。この空調システムにおける冷房負荷は、例えば、天井面に配設される放射パネル２である。なお、本発明の他の実施形態として、冷却装置は、コンピュータや照明等の発熱体を冷却負荷としてもよい。
【００４２】
冷却装置１は、密閉型の蒸発容器３を備えている。蒸発容器３は、蒸発性液体である水を貯留すると共に、大気圧よりも低い減圧で水を沸騰蒸発させることができるようになっている。
【００４３】
蒸発容器３内の上部には、凝縮器４が配置されている。凝縮器４は、地域熱供給システムの熱供給設備からの冷水によって水蒸気を冷却することができるようになっている。凝縮器４は、左右一対のヘッダー５ａ，５ｂと、両ヘッダー５ａ，５ｂ間に配設された複数本の伝熱管６と、を備えている。これら複数本の伝熱管６は、互いに連結されて連続した冷却用管路を形成している。また、これら複数本の伝熱管６には、地域熱供給システムの熱供給設備からの冷却水である、例えば、７℃のチラー水が供給される。
【００４４】
蒸発容器３には、該蒸発容器３内および後述の循環管路７内を減圧するための真空発生装置としての真空ポンプ８が接続されている。蒸発容器３にはまた、貯留される水を冷房負荷である放射パネル２に供給すると共に、放射パネル３からの水を蒸発容器３に還流させる循環管路７が接続されている。
【００４５】
前記循環管路７は、往き管路７ａと戻り管路７ｂとを備えており、往き管路７ａには、循環ポンプ９が設置されている。
【００４６】
往き管路７ａの一端は、蒸発容器３の下部３ａに接続され、他端は放射パネル２の入口側端部２ａに接続される。また、戻り管路７ｂの一端は、放射パネル２の出口側端部２ｂに接続され、他端は、蒸発容器３内に配置された散布手段としての複数の噴射ノズル１０に接続される。これら噴射ノズル１０の上方に、凝縮器４の伝熱管６が配置されている。往き管路７ａおよび戻り管路７ｂの一部分は、放射パネル２と共に天井面に敷設されている。
【００４７】
かかる構成の空調システムでは、蒸発容器３内を真空ポンプ８によって、例えば、蒸発温度２０℃に対応する真空度に減圧する。この減圧状態での水の沸騰蒸発によって冷却されて温度が低くなった２０℃の冷水は、循環管路７の往き管路７ａを介して循環ポンプ９によって放射パネル２に送られて冷房に供される。
【００４８】
放射パネル２からの昇温した、例えば２３℃の水は、循環管路７の戻り管路７ｂを介して蒸発容器３内に戻り、噴射ノズル１０から噴射されてフラッシュ蒸発する。フラッシュ蒸発によって発生した蒸気は、その上方の凝縮器４の伝熱管６で冷却されて凝縮され、蒸発容器３の下方に落下して貯留されるという循環を繰り返し、冷房負荷である放射パネル２に２０℃の冷水を安定して供給する。
【００４９】
上記空気調和システムにおいては、適宜箇所で温度センサおよび圧力センサによって水の温度および圧力が検出され、システム内を循環する水の温度および圧力が所期の範囲内となるように制御される。例えば、循環ポンプ９の出口側の冷水の温度を、温度センサ１４によって検出し、この検出温度に基づいて、凝縮器４への冷却水の供給管路１２に設置されたモータ弁１３の開度を調整して冷却水量を制御し、これによって、放射パネル２への冷水の温度が２０℃になるように制御される。
【００５０】
また、蒸発容器３の内部圧力が圧力センサによって検出され、この検出圧力に基づいて真空ポンプ８が駆動されて、システム全体を常に所定の真空状態に維持するように制御される。
【００５１】
更に、蒸発容器３内の水位が、所定の水位よりも低くなったことが水位検出器１７によって検出されると、蒸発性液体供給手段としての図示しない給水タンク及び送水ポンプによって補給管路１８を介して蒸発容器３に水が補給される。
【００５２】
以上説明した実施形態では、単一の蒸発容器３の内部に、凝縮器４を配置して蒸発器に凝縮器を一体化し、ルーツ式圧縮機が不要となるので、装置全体を小型化して設置スペースおよびコストを削減することができる。しかも、蒸発容器３および放射パネル２を含む循環管路７は、減圧されているので、天井面に配設された放射パネル２の接続配管部での継手の緩み若しくは腐食により貫通部が生じても、その継手の緩み若しくは貫通部を介して天井面から冷水が漏洩することを防止することできる。
【００５３】
また、真空ポンプ８を駆動してシステム全体を真空状態に維持するので、この真空ポンプ８の駆動によって、蒸発性液体中の溶存酸素を脱気してその濃度を低くすることができ、これによって、配管や熱交換器等の腐食を低減することができる。
【００５４】
（実施形態２）
図２は、本発明の他の実施形態２に係る冷却装置を用いた空調システムの構成図であり、上述の図１に対応する部分には、同一の参照符号を付す。
【００５５】
上述の実施形態１の空調システムでは、冷房のみを行ったけれども、図２に示す実施形態２では、冷房および暖房を行うものである。
【００５６】
このため、実施形態２では、暖房時に、循環管路７の戻り管路７ｂの水を、加熱する熱交換器１１を備えている。この熱交換器１１には、地域熱供給システムの熱供給設備からの、例えば、３５℃の温水が、モータ弁１５が設置された供給管路１６を介して供給され、循環回路７の戻り管路７ｂの水と熱交換する。
【００５７】
その他の構成は、上述の実施の形態１と同様である。
【００５８】
冷房時は、上述の実施の形態１と同様であり、蒸発容器３内を真空ポンプ８によって、例えば、蒸発温度２０℃に対応する真空度に減圧する。この減圧状態での水の沸騰蒸発によって冷却されて温度が低くなった２０℃の冷水は、循環管路７の往き管路７ａを介して循環ポンプ９によって放射パネル２に送られて冷房に供される。
【００５９】
放射パネル２からの昇温した、例えば２３℃の水は、循環管路７の戻り管路７ｂを介して蒸発容器３内に戻り、噴射ノズル１０から噴射されてフラッシュ蒸発する。フラッシュ蒸発によって発生した蒸気は、その上方の凝縮器４の伝熱管６で冷却されて凝縮され、蒸発容器３の下方に落下して貯留されるという循環を繰り返す。
【００６０】
暖房時には、凝縮器４への冷却水の供給管路１２のモータ弁１３を閉じて冷却水を遮断する。また、蒸発容器３内を真空ポンプ８によって、例えば、蒸発温度２６℃に対応する真空度に減圧する。この減圧状態で熱交換器１１から供給される２６℃の温水を、噴射ノズル１０から噴射し、蒸発容器３の下部に貯留する。
【００６１】
蒸発容器３の下部の２６℃の温水は、循環管路７の往き管路７ａを介して循環ポンプ９によって暖房負荷である放射パネル２に送られて暖房に供される。
【００６２】
放射パネル２からの降温した、例えば２３℃の水は、循環管路７の戻り管路７ｂに設置された熱交換器１１に至る。この熱交換器１１によって、地域熱供給システムの熱供給設備からの温水である、例えば、３５℃のチラー水と熱交換して２６℃の温水となって蒸発容器３内の噴射ノズル１０から噴射されるという循環を繰り返す。
【００６３】
なお、循環ポンプ９の出口側の温水の温度を、温度センサ１４によって検出し、この検出温度に基づいて、熱交換器１１への温水の供給管路１６に設置されたモータ弁１５の開度を調整して温水流量を制御し、これによって、放射パネル２への温水の温度が２６℃となるように制御される。
【００６４】
以上説明した実施形態２においては、冷房時には、地域熱供給システムの熱供給設備からの冷却水を利用して放射パネル２に供給する冷水を製造して冷房を行い、暖房時には、地域熱供給システムの熱供給設備からの温水を利用して放射パネル２に供給する温水を製造して暖房を行うことができる。
【００６５】
しかも、単一の蒸発容器３内に、凝縮器４を配置すると共に、ルーツ式圧縮機が不要となるので、装置全体を小型化して設置スペースおよびコストを削減することができる。
【００６６】
更に、冷房時および暖房時のいずれにおいても、蒸発容器３および放射パネル２を含む循環管路７は、減圧されているので、天井面に配設された放射バネル２の接続配管部での継手の緩み若しくは腐食により貫通部が生じても、その継手の緩み若しくは貫通部を介して天井面から冷水または温水が漏洩することを防止することできる。
【００６７】
上述の各実施形態１、２では、蒸発性液体として水を使用したけれども、水以外の冷媒を使用してもよい。
【００６８】
上述の実施形態１、２では、凝縮器４に供給される冷却水は、地域熱供給システムの熱供給設備からの冷水であったけれども、地下水などであってもよく、また、熱交換器１１に供給される温水は、地域熱供給システムの熱供給設備からの温水であったけれども、温泉水などであってもよい。
【００６９】
上述の実施形態１、２では、放射空調方式に適用して説明したけれども、本発明は、放射空調方式に限らず、例えば、ファンコイルを用いた強制対流方式の空調システムにも適用できるものである。
【符号の説明】
【００７０】
１                    冷却装置
２，２２              放射パネル
３                    蒸発容器
４                    凝縮器
７                    循環管路
８                    真空ポンプ
９                    循環ポンプ
１０                  噴射ノズル
１１                  熱交換器
【図１】
2011112249.tif 000003
【図２】
2011112249.tif 000004
【図３】
2011112249.tif 000005
【図４】
2011112249.tif 000006